(57)【特許請求の範囲】
【請求項１】
発光部を有する発光管とリフレクタからなるランプを冷却する光源冷却装置であって、
前記ランプを保持するランプホルダと、
冷却風が流れ込む開口部および内部に前記冷却風が通過する空間を有するダクト状構造体と、
前記ランプホルダと前記ダクト状構造体の間に配置された略円環状の板状構造物と、
を備え、
前記ランプホルダは、前記ダクト状構造体を通過した風を前記ランプに向けて吹き出すための複数の送風口と、前記ダクト状構造体とで前記略円環状の板状構造物を移動可能に保持する面を有し、
該面には、前記ダクト状構造体を通過した前記冷却風が流入し、かつ前記送風口ごとに連通する複数の流入口が前記発光部の光軸を中心に設けられており、
前記略円環状の板状構造物は、
前記ランプホルダと前記ダクト状構造体との間を自重によって移動可能であり、かつ、
自重で前記面に沿って移動したとき、前記複数の流入口のうちの前記光軸よりも重力方向と反対側に位置する流入口を開放し、残りの流入口を閉塞することで、前記ダクト状構造体を通過した前記冷却風を、前記光軸よりも重力方向と反対側に位置した送風口から吹き出す状態にすることを特徴とする光源冷却装置。
【請求項２】
前記送風口が３つ以上設けられており、かつ前記ランプの光軸を中心に等角度に配置されている、請求項１に記載の光源冷却装置。
【請求項３】
前記ランプホルダおよび前記ダクト状構造体は、中央に前記ランプからの光が通過する開口を有する一つの環状体からなる、請求項１または請求項２に記載の光源冷却装置。
【請求項４】
前記送風口のうち少なくとも１つが他の送風口と異なる面積である、請求項１から３のいずれか１項に記載の光源冷却装置。
【請求項５】
発光部を有する発光管とリフレクタからなるランプと、
前記ランプを保持するランプホルダと、
冷却風が流れ込む開口部および内部に前記冷却風が通過する空間を有するダクト状構造体と、
前記ランプホルダと前記ダクト状構造体の間に配置された略円環状の板状構造物と、
を備え、
前記ランプホルダは、前記ダクト状構造体を通過した風を前記ランプに向けて吹き出すための複数の送風口と、前記ダクト状構造体とで前記略円環状の板状構造物を移動可能に保持する面を有し、
該面には、前記ダクト状構造体を通過した前記冷却風が流入し、かつ前記送風口ごとに連通する複数の流入口が前記発光部の光軸を中心に設けられており、
前記略円環状の板状構造物は、
前記ランプホルダと前記ダクト状構造体との間を自重によって移動可能であり、かつ、
自重で前記面に沿って移動したとき、前記複数の流入口のうちの前記光軸よりも重力方向と反対側に位置する流入口を開放し、残りの流入口を閉塞することで、前記ダクト状構造体を通過した前記冷却風を、前記光軸よりも重力方向と反対側に位置した送風口から吹き出す状態にすることを特徴とする投写型表示装置。
【請求項６】
発光部を有する発光管とリフレクタからなるランプを冷却する光源冷却装置であって、
前記ランプを保持するランプホルダと、冷却風が流れ込む開口部および内部に前記冷却風が通過する空間を有するダクト状構造体と、前記ランプホルダと前記ダクト状構造体の間に配置された略円環状の板状構造物と、を備え、
前記ランプホルダは、前記ダクト状構造体を通過した風を前記ランプに向けて吹き出すための複数の送風口と、前記ダクト状構造体とで前記略円環状の板状構造物を移動可能に保持する面を有し、
該面には、前記ダクト状構造体を通過した前記冷却風が流入し、かつ前記送風口ごとに連通する複数の流入口が前記発光部の光軸を中心に設けられており、
前記略円環状の板状構造物は、前記ランプホルダと前記ダクト状構造体との間を自重によって移動可能であるようにされた前記光源冷却装置による光源冷却方法であって、
前記略円環状の板状構造物が自重で前記面に沿って移動したとき、前記複数の流入口のうちの前記光軸よりも重力方向と反対側に位置する流入口を開放し、残りの流入口を閉塞することで、前記ダクト状構造体を通過した前記冷却風を、前記光軸よりも重力方向と反対側に位置した送風口から吹き出す状態にすることを特徴とする光源冷却方法。
【発明の詳細な説明】
【技術分野】
【０００１】
本発明は、投写型表示装置に備わる光源のための冷却構造に関するものである。
【背景技術】
【０００２】
投写型表示装置の光源となる発光部の熱は重力方向の反対側に上昇するため、発光部の表面温度は発光部の下部に比べ上部が高くなる。発光部を適切な発光状態に保つためには、発光部の上部の温度を適正な値に管理するとともに、発光管全体の温度差を小さくすることが重要である。【０００３】
しかしながら、投写型表示装置の設置状態は装置を床面に設置する場合（以下、床面設置）だけでなく、装置を天地方向で逆にして天井面に吊り下げる場合（以下、天吊り設置）がある。そのため、発光部の上部だけを集中して冷却することができず、発光部の上部と下部を均等に冷却している。この結果、床面設置と天吊り設置のどちらの場合も、発光部の上部と下部との温度差は消費電力が３００W前後のもので１００℃〜１５０℃になって、白化や黒化による短寿命化やフリッカの原因となっていた。【０００４】
この課題を解決する従来技術として、特開2005-24735号や特開2008-59930号に開示されたものがある。【０００５】
特開2005-24735号公報に開示された技術では、床面設置と天吊り設置の両姿勢に対し、発光部の上部にのみ冷却風を送り発光部の上部と下部との温度差を解消している。その構造は、それぞれの姿勢に対して専用のダクトを備え、ファン吹出口の直後に設けられ自重で上下に移動するダクト遮蔽部材によって、各ダクトの通風を制御する。【０００６】
しかし、この技術はダクト遮蔽部材が上下の２方向に自重で移動するため保持構造体との衝突による音が大きい。そのうえ、両姿勢に対して専用のダクトが必要なため表示装置の小型化が困難である。また、ファン吹出し口の直後にダクト遮蔽部材を設けているため、ファンから吹出した冷却風の半分が損失し、ファンの騒音は３ｄB以上大きくなる。さらに、両姿勢から９０°傾けて床に向けて投写する姿勢（以下、床方向投写設置）と、天井に向けて投写する姿勢（以下、天井方向投写設置）とには対応できない。【０００７】
また、特開2008-59930号公報に開示された技術は、リフレクタ内部で冷却風を循環させることにより、発光部の周囲を均等に冷却している。この技術は床面設置と天吊り設置の両姿勢に対応できるだけでなく、特開2005-24735号公報に開示された発明では実施できない床方向投写設置と天井方向投写設置にも対応できる。【０００８】
しかし、当該技術は発光部の周囲を均等に冷却しているため発光部全体の温度差を小さくすることができない。
【発明の開示】
【０００９】
本発明の目的は、上記背景技術が有する課題を解決できる光源冷却装置およびそれを備えた投写型表示装置を提供することにある。その目的の一例は、発光部全体の温度差をなくすことと、小型、軽量で低騒音であることとを同時に解決することである。その上、床面設置と天吊り設置のみならず床方向投写設置や天井方向投写設置にも対応することができる投写型表示装置を実現することも目的とする。
【００１０】
本発明の光源冷却装置の一態様は、ランプを保持するランプホルダと、内部に風が通過する空間を有するダクト状構造体と、ランプホルダとダクト状構造体の間に配置された板状構造物と、を備える。
【００１１】
そしてランプホルダは、ダクト状構造体を通過した風をランプに向かって吹き出す３つ以上の送風口を有する。また、板状構造物は、ランプホルダとダクト状構造体との間を自重によって移動可能である。その上、板状構造物は、ダクト状構造体を通過した風を、複数の送風口のうちの、ランプよりも重力方向と反対側に位置した送風口のみから吹き出させるものとなっている。
【００１２】
尚、本明細書及び特許請求の範囲で使用されている「上部」とは、重力方向とは反対方向を向いた部分をいい、「下部」とは重力方向を向いた部分をいう。
【図面の簡単な説明】
【００１３】
【図１】本発明の実施例による投写型表示装置の主要部品を示す斜視図。
【図２】本発明の実施例による光源冷却装置の分解図。
【図３】図２のランプユニットをその後方側上部から見た図。
【図４】図２のランプユニットへ冷却風を送るための送風口を示す図。
【図５】図２のランプユニットへ冷却風を送るための送風口を示す図。
【図６】本発明の実施例で使用したランプユニットの詳細図。
【図７】床面設置のときの、本発明の実施例の光源冷却装置の構造を示した図。
【図８】天吊り設置のときの、本発明の実施例の光源冷却装置の構造を示した図。
【図９】床方向投写設置のときの、本発明の実施例の光源冷却装置の構造を示した図。
【図１０】天井方向投写設置のときの、本発明の実施例の光源冷却装置の構造を示した図。
【発明を実施するための最良の形態】
【００１４】
本発明の一態様は、発光部を有する発光管とリフレクタからなるランプを冷却する光源冷却装置であって、
前記ランプを保持するランプホルダと、
冷却風が流れ込む開口部および内部に前記冷却風が通過する空間を有するダクト状構造体と、
前記ランプホルダと前記ダクト状構造体の間に配置された略円環状の板状構造物と、
を備え、
前記ランプホルダは、前記ダクト状構造体を通過した風を前記ランプに向けて吹き出すための複数の送風口と、前記ダクト状構造体とで前記略円環状の板状構造物を移動可能に保持する面を有し、
該面には、前記ダクト状構造体を通過した前記冷却風が流入し、かつ前記送風口ごとに連通する複数の流入口が前記発光部の光軸を中心に設けられており、
前記略円環状の板状構造物は、
前記ランプホルダと前記ダクト状構造体との間を自重によって移動可能であり、かつ、
自重で前記面に沿って移動したとき、前記複数の流入口のうちの前記光軸よりも重力方向と反対側に位置する流入口を開放し、残りの流入口を閉塞することで、前記ダクト状構造体を通過した前記冷却風を、前記光軸よりも重力方向と反対側に位置した送風口から吹き出す状態にすることを特徴とする光源冷却装置である。
【００１５】
図１は本発明の実施例による投写型表示装置の主要部品を示す斜視図である。但し、発光部であるランプユニット２を冷却する冷却装置は図示していない。この図において、ランプユニット２から出射した光は光学エンジン１０の内部の光学部品を経由し光学処理され、その後、ランプユニット２から光を出射した方向に対して交差する方向（本実施例では９０°曲がった方向）に投写レンズ１１によって投写される。【００１６】
図２は本発明の実施例による光源冷却装置の分解図である。図３は図２のランプユニット２をその後方側上部から見た図である。図４および図５はランプユニット２へ冷却風を送るための送風口１ａ’、１ｂ’、１ｃ’、１ｄ’を示す図である。【００１７】
光源冷却装置は、ランプユニット２を保持するランプホルダ３と、ダクト状構造体である防爆ガラスホルダ５と、ランプホルダ３と防爆ガラスホルダ５の間に配置された略円環状で板状のシャッター６と、を備える。【００１８】
ランプホルダ３には、ランプユニット２を保持するためにリフレクタ２２の前面２２ａが固定される。ランプホルダ３は中空体からなる。そしてランプホルダ３は、発光部７からの光が通過する穴３ａを形成するように、リフレクタ２２の外周に沿った環形に形成されている。【００１９】
さらにランプホルダ２は、発光部７へ送風を行う４つの送風口１ａ’、１ｂ’、１ｃ’、１ｄ’と、それぞれが送風口ごとに連通する４つの流入口１ａ、１ｂ、１ｃ、１ｄと、を有する。各送風口はランプホルダ３の中央の穴３ａの側面に形成され、かつ発光部７の光軸を中心に等角度に設けられている。各流入口はランプホルダ３の前面３ｂに形成されている。任意の流入口とこれに対応して連通する送風口とは開口面積や流路断面積が同じになっている。尚、本実施例では、互いに連通する流入口と送風口の数を４つとしたが、本発明はこれに限定されず、投写型表示装置の設置姿勢のタイプ数に合わせてそれら開口の数を３つまたは４つ以上としてもよい。【００２０】
防爆ガラスホルダ５は、中央に発光部７からの光が通過する開口５ａが設けられており、ランプホルダ３の前面３ｂに沿って環状に形成されている。開口５ａには、発光部７の爆裂による被害を防ぐ防爆ガラス４が保持される。【００２１】
防爆ガラスホルダ５の後部の外周縁５ｂと開口５ａの周縁５ｃは、ランプホルダ３の前面３ｂの外周縁３ｃと穴３ａの周縁３ｄと同じ形状になっている（図２，３）。そして、これらの周縁同士でランプホルダ３の前面３ｂと防爆ガラスホルダ５の後部とが接合される。【００２２】
ランプホルダ３の前面３ｂの外周縁３ｃと穴３ａの周縁３ｄとは凸状すなわちリブ形状に形成されている。このリブ形状の高さは、円環状の板状構造体であるシャッター６の厚みよりも大きくしてある。さらに、防爆ガラスホルダ５の後部は、開口５ａを挟んで互いに対向する２箇所に、シャッター６を保持する保持面５ｄ、５ｅを有する（図３）。このような構成により、防爆ガラスホルダ５の後部をランプホルダ３の前面３ｂに接合したとき、ランプホルダ３と防爆ガラスホルダ５との間に、シャッター６は自重により重力方向に移動可能に保持される。【００２３】
さらに、防爆ガラスホルダ５の後部をランプホルダ３の前面３ｂに接合したときに、流入口が配設されたランプホルダ３の前面３ｂに沿ってダクトが形成されるように、防爆ガラスホルダ５の後部には、保持面５ｄ、５ｅを除いた箇所に、凹状の空間５ｆ，５ｇ（図３）が設けられている。【００２４】
防爆ガラスホルダ５の周囲面の一部には、内部に風を導入するダクト８を接続する開口部５ｈ（図２）を有する。開口部５ｈには、ダクト８からの風をホルダ５内部の二つの空間５ｆ，５ｇに分岐する整流板５１が形成されている。【００２５】
本実施例の光源冷却装置によれば、不図示のファンから供給される冷却風は、投写型表示装置の底面側に設置されたダクト８を経由し防爆ガラスホルダ５の内部へ流れ込み、ランプホルダ３の流入口を通り、これらの流入口に連通する送風口から発光部７に向かって吹き出す。【００２６】
このとき、投写型表示装置の設置状態の姿勢に関連して自重により重力方向に移動したシャッター６が、４つの流入口のうちの重力側の２つを閉塞し、重力方向と反対側に位置する２つの流入口を開放する。そのため、解放された流入口にそれぞれ連通する２つの送風口から発光部７の上部へ冷却風が送り込まれ、発光部７の上部を冷却する。【００２７】
図６は本実施例で使用したランプユニット２の詳細図である。【００２８】
ランプユニット２は、発光部７が発光する発光管２１と、発光部７の発光光を所定の方向に反射するリフレクタ２２と、リフレクタ２２を固定し接着剤を介して発光管２１を保持するリフレクタベース２３と、を備える。発光管２１は、いわゆる超高圧水銀ランプと呼ばれるものであり、内部に配設された電極に電圧を加えられることにより発光部７が発光する。リフレクタ２２は楕円形リフレクタであり、鏡面加工された凹状面を持つ。【００２９】
発光部７の熱は重力の反対側に上昇するため、発光部７の温度は下部よりも上部の方が高くなる。ランプの性能は発光部７の温度に依存し、発光部７の温度が適正値よりも高いと発光部７が白くなる現象（白化）が発生し、明るさの低下が早まる。また、発光部７の温度が適正値よりも低いと、発光部７が黒くなる現象（黒化）が発生する、明るさが出ない、フリッカが発生する、という問題が生じる。【００３０】
よって、ランプの性能を最大限に引き出すには、発光部７の上部を最適な温度に冷却するとともに、発光部全体の温度差をなくすことが必要である。【００３１】
図７は、床面設置のときの本実施例の光源冷却装置の構造を示したものであり、図１の投写レンズ１１による投写方向は図７中左向きである。【００３２】
ファンから供給される冷却風は、発光部７に対して重力方向に位置するダクト８（図７では図示しない。）を経由し防爆ガラスホルダ５の内部を整流板５１によって左右に分流する。床面設置では、シャッター６は、重力方向側（下側）の２つの流入口１ｃ、１ｄを閉塞し、重力方向と反対側（上側）に位置する２つの流入口１ａ、１ｂを開放している。このため、冷却風はランプホルダ３の流入口１ａ、１ｂを通過して送風口１ａ’、１ｂ’（図７では図示しない。）から発光部７の上部へ送り込まれる。【００３３】
図８は、天吊り設置のときの本実施例の光源冷却装置の構造を示したものであり、図１の投写レンズ１１による投写方向は図８中右向きである。【００３４】
ファンから供給される冷却風は、天吊り設置によって、発光部７に対して重力方向とは反対の方向に位置するダクト８（図８では図示しない。）を経由し防爆ガラスホルダ５の内部を整流板５１によって左右に分流する。天吊り設置では、シャッター６は、下側の２つの流入口１ａ、１ｂを閉塞し、上側に位置する２つの流入口１ｃ、１ｄを開放している。このため、冷却風はランプホルダ３の流入口１ｃ、１ｄを通過して送風口１ｃ’、１ｄ’（図８では図示しない。）から発光部７の上部へ送り込まれる。【００３５】
このような天吊り設置のとき、上側に位置した２つの流入口１ｃ、１ｄは、下側の２つの流入口１ａ、１ｂよりも、ファンから供給される冷却風の流れの上流側にある。したがって、２つの流入口１ｃ、１ｄに連通する送風口１ｃ’、１ｄ’から吹出す冷却風の風速は、２つの流入口１ａ、１ｂに連通する送風口１ａ’、１ｂ’から吹出す冷却風の風速よりも速い。【００３６】
このため、図７及び図８を見て分かるように２つの流入口１ｃ、１ｄの大きさを２つの流入口１ａ、１ｂよりも小さくして、流入口１ｃ、１ｄへの風の流入量を減らしている。このことによって、全ての送風口から吹出す冷却風の冷却能力を均等にすることができる。尚、図７，８中の流入口は図の左右方向に対しては対称な形状である。【００３７】
図９は、床方向投写設置のときの本実施例の光源冷却装置の構造を示したものであり、図１の投写レンズ１１による投写方向は図９中下向きである。【００３８】
ファンから供給される冷却風は、床方向投写設置によって、発光部７に対して図中右側に位置するダクト８（図９では図示しない。）を経由し防爆ガラスホルダ５の内部を整流板５１によって左右に分流する。床方向投写設置では、シャッター６は、下側の２つの流入口１ａ、１ｃを閉塞し、上側に位置する２つの流入口１ｂ、１ｄを開放している。また、発光部７を挟んで整流板５１と対向する部分は防爆ガラスホルダ５内の流路が閉塞する構造である。したがって、冷却風は防爆ガラスホルダ５内で上側の流路のみに流れ、ランプホルダ３の流入口１ｂ、１ｄを通過して送風口１ｂ’、１ｄ’（図９では図示しない。）から発光部７の上部へ送り込まれる。【００３９】
図１０は、天井方向投写設置のときの本実施例の光源冷却装置の構造を示したものであり、図１の投写レンズ１１による投写方向は図１０中上向きである。【００４０】
ファンから供給される冷却風は、天井方向投写設置によって、発光部７に対して図中左側に位置するダクト８（図１０では図示しない。）を経由し防爆ガラスホルダ５の内部を整流板５１によって左右に分流する。天井方向投写設置では、シャッター６は、下側の２つの流入口１ｂ、１ｄを閉塞し、上側に位置する２つの流入口１ａ、１ｃを開放している。また、発光部７を挟んで整流板５１と対向する部分は防爆ガラスホルダ５内の流路が閉塞する構造である。したがって、冷却風は防爆ガラスホルダ５内で上側の流路のみに流れ、ランプホルダ３の流入口１ａ、１ｃを通過して送風口１ａ’、１ｃ’（図１０では図示しない。）から発光部７の上部へ送り込まれる。【００４１】
本実施例の光源冷却装置は、発光部７の周囲に配置された複数の送風口のうち、実際に風が吹き出される送風口をシャッター６によって変更できる。また、床面設置、天吊り設置だけでなく、床方向投写設置、天井方向投写設置に対しても、常に発光部７の上部を重点的に冷却できるため、発光部全体の温度差を極めて小さくすることができる。結果、装置姿勢に係わらず、白化や黒化によるランプ短寿命化とフリッカを防止できる。【００４２】
また、防爆ガラス４（カバーガラス）の周囲の構造体をダクトとして利用するという特徴から、本発明を利用した投写型表示装置は小型であり重量も小さい。そして、ファンから離れた位置で流路断面積を小さくすることができる構造なので、送風に関して圧力損失が小さく高効率であり低騒音である。【００４３】
さらに、自重により移動する略円環状の板状構造体としてのシャッター６は装置内部を転がるように移動する。このため、装置設置姿勢を変更しても衝突音がなく稼動音も小さい。【００４４】
以上本発明の実施例について図面をもとに説明したが、本発明の技術思想を逸脱しない範囲において、図示した構造、形に限定することなく、上記実施例を適宜変更して実施することは可能である。
【図１】
0005263993.tif 000002
【図２】
0005263993.tif 000003
【図３】
0005263993.tif 000004
【図４】
0005263993.tif 000005
【図５】
0005263993.tif 000006
【図６】
0005263993.tif 000007
【図７】
0005263993.tif 000008
【図８】
0005263993.tif 000009
【図９】
0005263993.tif 000010
【図１０】
0005263993.tif 000011